(57)【要約】【課題】シンプルな構造であるにも拘わらず、使い捨ておむつ上に衣服を着用していたとしても、衣服を脱がせずに、排泄の有無を確認することができる使い捨ておむつを提供すること。【解決手段】本発明の使い捨ておむつ１Ａは、表面シート２、裏面シート３及びこれらシート間に配された吸収体４を有する縦長の吸収性本体５を備え、腹側領域Ａ、背側領域Ｂ及び股下領域Ｃに区分されている。おむつ１Ａには、着用者の体液によって縮む収縮材７１を含む識別シート部材７が、吸収性本体５のＹ方向に延在している。おむつ１Ａは、着用者の体液の排泄前においては、吸収性本体５のＹ方向の少なくとも一端部５ａに、識別シート部材７のＹ方向の一端部７ａが、外側から視認可能に配されている。着用者の体液の排泄後においては、識別シート部材７の一端部７ａが、股下領域Ｃ側に移動する。【選択図】図１
2015077189.tif 000002
【特許請求の範囲】
【請求項１】
表面シート、裏面シート、これらシート間に配された吸収体を有する縦長の吸収性本体を備え、腹側領域、背側領域及び股下領域に区分された使い捨ておむつであって、
着用者の体液によって縮む収縮材を含む識別シート部材が、前記吸収性本体の縦方向に延在しており、
着用者の体液の排泄前においては、前記吸収性本体の縦方向の少なくとも一端部に、前記識別シート部材の縦方向の一端部が、外側から視認可能に配されており、着用者の体液の排泄後においては、前記識別シート部材の一端部が、股下領域側に移動する、使い捨ておむつ。
【請求項２】
前記識別シート部材は、紐状或いは帯状に形成されている請求項１に記載の使い捨ておむつ。
【請求項３】
着用者の体液の排泄前においては、前記識別シート部材は、腹側端部及び背側端部において、前記識別シート部材の縦方向の一端部が、外側から視認可能に配されている請求項１又は２に記載の使い捨ておむつ。
【請求項４】
前記識別シート部材は、少なくともその長手方向の一部において液透過性のシート材で覆われている請求項１〜３の何れか１項に記載の使い捨ておむつ。
【請求項５】
前記識別シート部材は、前記表面シートの肌対向面上、又は前記表面シートと前記吸収体との間に配されている請求項１〜４の何れか１項に記載の使い捨ておむつ。
【請求項６】
前記識別シート部材は、前記裏面シートと前記吸収体との間に配されている請求項１〜４の何れか１項に記載の使い捨ておむつ。
【請求項７】
前記吸収性本体の縦方向の少なくとも一端部に、股下領域側に向かって切り欠かれた切欠き部が形成されており、
着用者の体液の排泄前においては、前記切欠き部に、前記識別シート部材の縦方向の一端部が、外側から直接視認可能に配されている請求項１〜６の何れか１項に記載の使い捨ておむつ。
【請求項８】
前記使い捨ておむつは、前記吸収性本体と、該吸収性本体の非肌対向面に配された外装体とを備えるパンツ型使い捨ておむつであって、
前記識別シート部材の縦方向の一端部が、前記吸収性本体の縦方向の一端部から延出しており、
着用者の体液の排泄前においては、前記識別シート部材の縦方向の一端部が、前記外装体を介して外側から視認可能に配されている請求項１〜６の何れか１項に記載の使い捨ておむつ。
【請求項９】
前記外装体の光線透過率が３０％以上である請求項８に記載の使い捨ておむつ。
【発明の詳細な説明】
【技術分野】
【０００１】
本発明は、展開型、或いはパンツ型の使い捨ておむつに関する。
【背景技術】
【０００２】
従来より、着用者が排泄したか否かを色により判断するインジケータを備えた使い捨ておむつが知られている。例えば、特許文献１には、吸収性コアと裏面シートとの間に、着用者の尿と接触すると視覚的に変化する親水性の組成物、所謂インジケータが配されている使い捨ておむつが記載されている。特許文献１に記載の使い捨ておむつは、股下付近のインジケータの色が変化することにより、尿の排泄の有無を確認することができる。
【０００３】
これとは別の技術として、特許文献２には、扁平スプリングを圧縮させ伸長させた状態を水溶性固形体で固めたものを検知部として内部後方に設け、排泄された大便の水分により伸長・収縮させて、結果を上部に設置した表示羽根で知らせる排便検知おむつが記載されている。このような特許文献２に記載の使い捨ておむつによれば、該おむつ上に衣服を着用していたとしても、衣服を脱がせずに、排便の有無を確認することができる。
【先行技術文献】
【特許文献】
【０００４】
【特許文献１】特開２００５−０２１３９０号公報
【特許文献２】特開２００２−３３６２９９号公報
【発明の概要】
【発明が解決しようとする課題】
【０００５】
しかし、特許文献１に記載の使い捨ておむつは、該おむつ上に衣服を着用すると、股下付近のインジケータの色の変化を、衣服を脱がせてから確認するようになってしまう。このように、特許文献１に記載の使い捨ておむつには、更なる改良の余地があった。
【０００６】
また、特許文献２に記載の使い捨ておむつの備える排便検知の手段は、複雑な構造で形成されている。
【０００７】
したがって本発明は、前述した従来技術が有する欠点を解消し得る使い捨ておむつを提供することにある。
【課題を解決するための手段】
【０００８】
本発明は、表面シート、裏面シート、これらシート間に配された吸収体を有する縦長の吸収性本体を備え、腹側領域、背側領域及び股下領域に区分された使い捨ておむつであって、着用者の体液によって縮む収縮材を含む識別シート部材が、前記吸収性本体の縦方向に延在しており、着用者の体液の排泄前においては、前記吸収性本体の縦方向の少なくとも一端部に、前記識別シート部材の縦方向の一端部が、外側から視認可能に配されており、着用者の体液の排泄後においては、前記識別シート部材の一端部が、股下領域側に移動する使い捨ておむつを提供するものである。
【発明の効果】
【０００９】
本発明によれば、シンプルな構造であるにも拘わらず、使い捨ておむつ上に衣服を着用していたとしても、衣服を脱がせずに、排泄の有無を確認することができる。
【図面の簡単な説明】
【００１０】
【図１】図１は、本発明の第１実施形態である展開型の使い捨ておむつの斜視図である。
【図２】図２は、図１に示す展開型の使い捨ておむつを伸長させた状態を表面シート側から見た平面図である。
【図３】図３は、図２のＩ−Ｉ線断面図である。
【図４】図４は、図２のＩＩ−ＩＩ線断面図である。
【図５】図５（ａ）は着用者の体液の排泄前における図１に示すおむつの着用状態の斜視図であり、図５（ｂ）は着用者の体液の排泄後における図１に示すおむつの着用状態の斜視図である。
【図６】図６は、本発明の第２実施形態である展開型の使い捨ておむつの斜視図である（図１相当図）。
【図７】図７は、本発明の第３実施形態であるパンツ型使い捨ておむつの斜視図である。
【図８】図８は、図７に示すパンツ型使い捨ておむつを展開して伸長させた状態を表面シート側から見た平面図である。
【図９】図９は、図８のＩＩＩ−ＩＩＩ線断面図である。
【図１０】図１０は、図８のＩＶ−ＩＶ線断面図である。
【図１１】図１１（ａ）は着用者の体液の排泄前における図７に示すおむつの着用状態の斜視図であり、図１１（ｂ）は着用者の体液の排泄後における図７に示すおむつの着用状態の斜視図である。
【図１２】図１２は、本発明の第４実施形態であるパンツ型使い捨ておむつの要部の縦断面図である（図１０相当図）。
【発明を実施するための形態】
【００１１】
本発明の使い捨ておむつは、所謂展開型の使い捨ておむつや、所謂パンツ型の使い捨ておむつを含む概念であり、展開型の使い捨ておむつには、外層体が一体化した展開型の使い捨ておむつ（通常のテープおむつ）や、サイドフラップとして別体の伸縮性シートを背側の幅方向外方に延出するように接合した展開型の使い捨ておむつ（分割タイプのテープおむつ）が含まれる。また、パンツ型使い捨ておむつには、外層体が一体化したパンツ型使い捨ておむつや、外層体が腹側シート部材と背側シート部材に分断された分割タイプのパンツ型使い捨ておむつ、背側及び腹側それぞれの幅方向外方に延出する伸縮性のサイドフラップがそれぞれ接合されたサイドパネルタイプのパンツ型使い捨ておむつが含まれる。
以下、展開型の使い捨ておむつの例として、外層体が一体化した展開型の使い捨ておむつを挙げ、パンツ型の使い捨ておむつの例として、外層体が一体化したパンツ型使い捨ておむつを挙げ、その好ましい実施形態に基づき、具体的に図を参照しながら説明する。
【００１２】
本発明をその好ましい第１実施形態に基づき図面を参照しながら説明する。
第１実施形態の展開型の使い捨ておむつ（以下、「おむつ１Ａ」ともいう。）は、図１〜図５に示すように、外層体が一体化した展開型の使い捨ておむつである。おむつ１Ａは、液透過性の表面シート２、液難透過性の裏面シート３、これらシート２，３間に配された吸収体４を有する縦長の吸収性本体５を備え、腹側領域Ａ、背側領域Ｂ及び股下領域Ｃに区分されている。ここで、腹側領域Ａとは着用時に着用者の腹側に位置する領域であり、背側領域Ｂとは着用時に着用者の背側に位置する領域であり、股下領域Ｃとは腹側領域Ａと背側領域Ｂとの間に配される領域である。
また、本明細書において、「肌対向面」とは、例えば吸収性本体５を構成する表面シート２などの各部材の表裏両面のうち、着用時に着用者の肌側に配される面であり、「非肌対向面」とは、例えば吸収性本体５を構成する表面シート２などの各部材の表裏両面のうち、着用時に着用者の肌側とは反対側に向けられる面である。
また、各図に示す「Ｙ方向」は、吸収性本体５の縦方向に延びる中心線ＣＬに平行な方向である。また各図に示す「Ｘ方向」は、中心線ＣＬに直交する方向であり、吸収性本体５の横方向と同じ方向でもある。
【００１３】
おむつ１Ａの吸収性本体５は、図２に示すように、縦方向（Ｙ方向）に長く、縦方向（Ｙ方向）の両側縁が、縦方向（Ｙ方向）の中央部において内方に括れた形状を有しており、縦方向（Ｙ方向）の両端部それぞれの幅が、縦方向（Ｙ方向）の中央部の幅よりも広くなっている。吸収性本体５は、図３，図４に示すように、おむつ１Ａの内面をなす表面シート２と、おむつ１Ａの外面をなす裏面シート３と、これらのシート２，３間に介在された吸収体４とを有している。
【００１４】
図３，図４に示すように、表面シート２は、吸収体４の肌当接面側の全面を覆っており、裏面シート３は、吸収体４の非肌当接面側の全面を覆っており、表面シート２及び裏面シート３それぞれは、吸収体４の外周縁から延出している。また、表面シート２は、図３に示すように、Ｙ方向の長さが裏面シート３の長さと同じ長さであるが、図４に示すように、Ｘ方向の長さが裏面シート３のＸ方向の長さよりも短くなっている。
【００１５】
おむつ１Ａの吸収性本体５には、図２，図３に示すように、Ｙ方向に沿う両側部５ｓ，５ｓそれぞれに、表面シート２を介してサイドシート６１が配されている。サイドシート６１は、表面シート２の肌当接面側における、縦方向（Ｙ方向）に沿う側部全域に亘って配設固定されている。各サイドシート６１のＸ方向の内方（中心線ＣＬ寄り）の端部は、図３に示すように、自由端となっており、股下領域Ｃにおける自由端近傍には立体ギャザー形成用の弾性部材６２が縦方向（Ｙ方向）に伸長状態で配設固定されており、着用時には、その弾性部材の収縮力により、自由端から所定幅の部分が表面シート２から離間して立体ギャザー６が形成される。
【００１６】
吸収性本体５の両側部５ｓ，５ｓには、図２，図３に示すように、腹側領域Ａ及び背側領域Ｂそれぞれにおいて、Ｘ方向の外方に延出したサイドシート６１と裏面シート３とが接合され、サイドフラップ部５１が形成されている。吸収性本体５には、図２，図３に示すように、股下領域Ｃにおいて、幅方向（Ｘ方向）外方に延出したサイドシート６１と裏面シート３とが接合され、レッグフラップ部５２が形成されている。レッグフラップ部５２には、股下領域Ｃにおいて、レッグギャザー形成用の弾性部材６２が長手方向（Ｙ方向）に伸長状態で配設固定されており、着用時には、その弾性部材の収縮力により、レッグギャザーが形成される。
【００１７】
図１，図２に示すように、おむつ１Ａは、背側領域Ｂの左右のサイドフラップ部５１それぞれの外側縁に連設された左右一対のファスニングテープ１１，１１を有している。また、おむつ１Ａは、腹側領域Ａの最外面には、ファスニングテープ１１を止着するターゲットシート１２を有している。
【００１８】
おむつ１Ａにおいては、図２，図４に示すように、着用者の体液によって縮む収縮材７１を含む識別シート部材７が、吸収性本体５の縦方向（Ｙ方向）に延在している。ここで、識別シート部材７は、少なくとも収縮材７１を含んで構成されているものであり、収縮材７１のみで構成されていてもよい。識別シート部材７が、一部に収縮材７１を含んで構成されている場合、例えば、識別シート部材７を尿の排泄の確認に用いるには、股下領域Ｃにおける腹側領域Ａ側の部分に収縮材７１を配することが好ましく、識別シート部材７を便の排泄の確認に用いるには、股下領域Ｃにおける背側領域Ｂ側の部分に収縮材７１を配することが好ましく、識別シート部材７を尿の排泄及び便の排泄の確認に用いるには、股下領域Ｃ全域に亘って収縮材７１を配することが好ましい。
【００１９】
また、識別シート部材７が縦方向（Ｙ方向）に延在しているとは、縦方向（Ｙ方向）に延びていれば、中心線ＣＬに平行であってもよく、中心線ＣＬに交差していてもよい。また、縦方向（Ｙ方向）に延びていれば、一直線状に延びていても、曲線を描いて延びていてもよく、波線状に延びていてもよい。尚、おむつ１Ａにおいては、図２に示すように、識別シート部材７が、中心線ＣＬ上を、中心線ＣＬに沿って平行に縦方向（Ｙ方向）に延びている。
【００２０】
着用者の体液によって縮む収縮材７１としては、ポリビニルアルコール系繊維、変性ポリビニルアルコールをカルボキシメチル化した繊維等、具体的には、特公平６-１０２０６８号公報、或いは特許第２６５６２４５号公報に記載されている繊維等を、不織布、紙、或いは布の形態に加工したものを用いることができる。
【００２１】
識別シート部材７は、紐状或いは帯状に形成されていることが好ましく、おむつ１Ａにおいては、図１，図２に示すように、帯状に形成されている。帯状に形成されている場合、その幅は５ｍｍ〜３０ｍｍ程度である。おむつ１Ａにおいては、識別シート部材７が、一部に収縮材７１を含んで構成されており、識別シート部材７を尿の排泄及び便の排泄の確認に用いる観点から、上述したように、帯状の収縮材７１が股下領域Ｃ全域に亘ってのみ配されており、該収縮材７１の腹側領域Ａ側及び背側領域Ｂ側の両端外方それぞれには、別部材の帯状のシート片７２が配されている（図４参照）。即ち、おむつ１Ａの識別シート部材７は、腹側領域Ａ側に配された帯状のシート片７２と背側領域Ｂ側に配された帯状のシート片７２との間に、股下領域Ｃ全域に亘る帯状の収縮材７１を配して、それらの端部の重なり部分を、接着剤或いは融着することにより、１本の帯状に形成されている。シート片は、容易に視認することができる観点から、有色に着色されて形成されていることが好ましい。ここで、有色の色としては、黄色、赤色、青色、橙色など様々な色が挙げられ、視認のし易さの観点から暖色系の色、すなわち赤色、橙色、黄色等が好ましく用いられる。尚、識別シート部材７が、収縮材７１のみで形成されている場合には、収縮材７１が、有色に着色されて形成されていることが好ましい。尚、有色に着色する以外に、図柄を識別シート部材７の外方端部に印刷したもの、或いは目盛りを記載したものを用いてもよい。
【００２２】
識別シート部材７を構成するシート片７２としては、使い捨ておむつ等の吸収性物品に従来用いられている各種シート材を特に制限なく用いることができ、具体的には、高分子フィルム或いは不織布を有色に着色したものを用いることができる。該フィルムとしては、ポリエチレン、ポリプロピレン、ポリエチレンテレフタレート等を用いることができる。該不織布としては、エアースルー不織布、ヒートロール不織布、スパンレース不織布、スパンボンド不織布、メルトブローン不織布の単層の不織布又はこれらが２層以上に積層された積層不織布等を用いることができる。
【００２３】
本発明の使い捨ておむつは、着用者の体液の排泄前においては、吸収性本体５の縦方向（Ｙ方向）の少なくとも一端部に、識別シート部材７の縦方向（Ｙ方向）の一端部が、外側から視認可能に配されている。ここで、識別シート部材７を尿の排泄及び便の排泄の確認に用いるには、吸収性本体５の縦方向（Ｙ方向）の腹側領域Ａ側の端部５ａ及び背側領域Ｂ側の端部５ｂそれぞれに、識別シート部材７の縦方向（Ｙ方向）の腹側領域Ａ側の端部７ａ及び背側領域Ｂ側の端部７ｂが、外側から視認可能に配されていることが好ましい。また、識別シート部材７を主に尿の排泄の確認に用いるには、少なくとも、吸収性本体５の縦方向（Ｙ方向）の腹側領域Ａ側の端部５ａに、識別シート部材７の縦方向（Ｙ方向）の腹側領域Ａ側の端部７ａが、外側から視認可能に配されていることが好ましい。また、識別シート部材７を便の排泄の確認に用いるには、少なくとも、吸収性本体５の縦方向（Ｙ方向）の背側領域Ｂ側の端部５ｂに、識別シート部材７の縦方向（Ｙ方向）の背側領域Ｂ側の端部７ｂが、外側から視認可能に配されていることが好ましい。尚、おむつ１Ａにおいては、図２に示すように、識別シート部材７を尿の排泄及び便の排泄の確認に用いる観点から、吸収性本体５の縦方向（Ｙ方向）の腹側領域Ａ側の端部５ａに、識別シート部材７の縦方向（Ｙ方向）の腹側領域Ａ側の端部７ａが、外側から視認可能に配されており、吸収性本体５の縦方向（Ｙ方向）の背側領域Ｂ側の端部５ｂに、識別シート部材７の縦方向（Ｙ方向）の背側領域Ｂ側の端部７ｂが、外側から視認可能に配されている。以下、具体的に説明する。
【００２４】
おむつ１Ａにおいては、図１，図２に示すように、吸収性本体５の縦方向（Ｙ方向）の少なくとも一端部に、股下領域Ｃ側に向かって切り欠かれた切欠き部５３が形成されている。おむつ１Ａにおいては、吸収性本体５の縦方向（Ｙ方向）の両端部５ａ，５ｂに、識別シート部材７の縦方向（Ｙ方向）の両端部７ａ，７ｂを外側から視認可能とさせたい観点から、吸収性本体５の縦方向（Ｙ方向）の両端部５ａ，５ｂそれぞれに、切欠き部５３，５３が形成されている。各切欠き部５３は、識別シート部材７の幅よりも広く形成されており、吸収性本体５の縦方向の端部端縁から、股下領域Ｃ側に向かって吸収体４の縦方向（Ｙ方向）の端部端縁に至らない部分に、凹状に切り欠かれて形成されている。尚、本実施形態のおむつ１Ａにおいては、図１,図２で示すように切欠き部５３が識別シート部材７の幅よりも広く形成されているが、識別シート部材７が外側から視認可能であれば、切欠き部５３は識別シート部材７の幅より狭くてもよい。
【００２５】
おむつ１Ａにおける識別シート部材７は、図１，図２に示すように、切欠き部５３を除く吸収性本体５の縦方向の両端部それぞれの端縁の位置に至るまで、中心線ＣＬに沿って縦方向（Ｙ方向）に延びている。
【００２６】
使い捨ておむつの厚み方向における識別シート部材７の配置位置は、表面シート２の肌対向面上、表面シート２と吸収体４との間、又は裏面シート３と吸収体４との間に配されている。表面シート２の肌対向面上或いは表面シート２と吸収体４との間に配されている場合には、識別シート部材７は、股下領域Ｃにおいて、表面シート２に固定されていることが好ましい。また、裏面シート３と吸収体４との間に配されている場合には、識別シート部材７は、股下領域Ｃにおいて、裏面シート３に固定されていることが好ましい。おむつ１Ａにおいては、識別シート部材７は、図３，図４に示すように、表面シート２の肌対向面上に配されており、接着剤７３を介して、股下領域Ｃにおいて、表面シート２に固定されている。
【００２７】
接着剤７３を股下領域Ｃに塗布する場合、識別シート部材７の収縮材７１における縦方向（Ｙ方向）の収縮を阻害しない観点から、収縮材７１に重ならない位置に塗布するか、或いは、収縮材７１と重なる際には、縦方向（Ｙ方向）に関し、収縮材７１の範囲内の内側に塗布することが好ましい。おむつ１Ａにおいては、収縮材７１が股下領域Ｃの全域に亘って配されているので、接着剤７３は、図２に示すように、収縮材７１の範囲内の内側に塗布されている。
【００２８】
以上のように構成されたおむつ１Ａにおいては、着用者の体液の排泄前においては、切欠き部５３に、識別シート部材７の縦方向（Ｙ方向）の一端部が、外側から直接視認可能に配されている。具体的には、おむつ１Ａにおいては、図１，図２に示すように、吸収性本体５の縦方向（Ｙ方向）の両端部５ａ，５ｂに切欠き部５３，５３が形成されており、識別シート部材７が、吸収性本体５の両端部５ａ，５ｂそれぞれの端縁の位置に至るまで延びている。その為、着用者の体液の排泄前においては、吸収性本体５の腹側領域Ａ側の切欠き部５３に、識別シート部材７の縦方向（Ｙ方向）の腹側領域Ａ側の端部７ａが、着用されたおむつ１Ａの腹側領域Ａの外側から直接視認可能に配されている。そして、着用者の体液の排泄前においては、吸収性本体５の背側領域Ｂ側の切欠き部５３に、識別シート部材７の縦方向（Ｙ方向）の背側領域Ｂ側の端部７ｂが、着用されたおむつ１Ａの背側領域Ｂの外側から直接視認可能に配されている。
【００２９】
上述したおむつ１Ａの各部の形成材料について説明する。
吸収性本体５を構成する表面シート２、裏面シート３、吸収体４及びサイドシート６１等としては、使い捨ておむつ等の吸収性物品に従来用いられている各種のもの等を特に制限なく用いることができる。例えば、表面シート２としては、単層又は多層構造の不織布や、開孔フィルム等を用いることができる。裏面シート３としては、単層の樹脂フィルムや該樹脂フィルムと不織布の積層体等を用いることができ、通気性の観点から透湿性のものが好ましい。吸収体４は、パルプ繊維等の繊維の集合体（不織布であっても良い）に吸水性ポリマーの粒子を保持させてなる吸収性コアを、ティッシュペーパ等からなるコアラップシートで被覆したものを用いることができる。サイドシート６１としては、撥水性の単層又は多層構造の不織布等を用いることができる。
【００３０】
立体ギャザー形成用の弾性部材６２、レッグギャザー形成用の弾性部材６２の形成素材としては、例えば、スチレン−ブタジエン、ブタジエン、イソプレン、ネオプレン等の合成ゴム、天然ゴム、ＥＶＡ、伸縮性ポリオレフィン、ポリウレタン等を用いることができる。弾性部材の形態としては、断面が矩形、正方形、円形、多角形状等の糸状（糸ゴム等）若しくは紐状（平ゴム 等）のもの、又はマルチフィラメントタイプの糸状のもの等を好ましく用いることができる。
【００３１】
各部材の固定には、接着剤或いは熱融着等を利用して固定できる。用いられる接着剤（接着剤７３を含む）としては、通常、使い捨ておむつ等の吸収性物品に用いられるものであれば、特に制限なく用いることができ、例えば、ホットメルト接着剤を用いることができる。ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。熱融着としては、使い捨ておむつ等の吸収性物品に用いられるものであれば、特に制限なく用いることができ、例えば、ヒートシール、高周波シール、超音波シールを用いることができる。
【００３２】
上述した本発明の第１実施形態のおむつ１Ａを使用した際の作用効果について説明する。
おむつ１Ａにおいては、図２に示すように、吸収性本体５の縦方向（Ｙ方向）の両端部５ａ，５ｂに切欠き部５３，５３が形成されており、識別シート部材７が、吸収性本体５の両端部５ａ，５ｂそれぞれの端縁の位置に至るまで延びている。その為、おむつ１Ａを着用すると、おむつ１は、図５（ａ）に示すように、着用者の体液の排泄前においては、吸収性本体５の腹側領域Ａ側及び背側領域Ｂ側それぞれの切欠き部５３，５３に、識別シート部材７の縦方向（Ｙ方向）の腹側領域Ａ側の端部７ａ及び背側領域Ｂ側の端部７ｂが、着用されたおむつ１Ａの腹側領域Ａ及び背側領域Ｂの外側から直接視認可能に配されている。このように、おむつ１Ａは、着用者の体液の排泄前においては、吸収性本体５の縦方向（Ｙ方向）の端部５ａ，５ｂに、識別シート部材７の縦方向（Ｙ方向）の端部７ａ，７ｂが、外側から視認可能に配されているので、おむつ１Ａ上に衣服を着用したとしても、衣服を脱がせずに、識別シート部材７の縦方向（Ｙ方向）の端部７ａ，７ｂを確認できる。
【００３３】
その後、着用者の体液の排泄後においては、識別シート部材７の一端部が、股下領域Ｃ側に移動する。具体的には、おむつ１Ａの着用中に、着用者が体液を排泄すると、図５（ｂ）に示すように、体液の吸収により収縮材７１が収縮し、識別シート部材７の端部７ａ，７ｂの位置が股下領域Ｃ側に移動する。このように、識別シート部材７の端部７ａ，７ｂの位置が、体液の排泄前後で変更するので、おむつ１Ａにおいては、体液の排泄の有無を識別することが可能となる。具体的には、尿の排泄により股下領域Ｃの腹側領域Ａ側が濡れると、股下領域Ｃに配した収縮材７１が収縮し、識別シート部材７の腹側領域Ａ側の端部７ａの位置が、股下領域Ｃ側に移動して、吸収性本体５の腹側領域Ａ側の切欠き部５３よりも内側に移動し、識別シート部材７の腹側領域Ａ側の端部７ａが見え難くなる。このように識別シート部材７の腹側領域Ａ側の端部７ａが股下領域Ｃ側に移動した場合には、着用者が尿を排泄したと判断することができる。また、便の排泄により股下領域Ｃの背側領域Ｂ側が便の水分により濡れると、股下領域Ｃに配した収縮材７１が収縮し、識別シート部材７の背側領域Ｂ側の端部７ｂの位置が、股下領域Ｃ側に移動して、吸収性本体５の背側領域Ｂ側の切欠き部５３よりも内側に移動し、識別シート部材７の背側領域Ｂ側の端部７ｂが見え難くなる。このように識別シート部材７の背側領域Ｂ側の端部７ｂが股下領域Ｃ側に移動した場合には、着用者が便を排泄したと判断することができる。このように、おむつ１Ａは、識別シート部材７を配したシンプルな構造であるにも拘わらず、使い捨ておむつ１Ａ上に衣服を着用していたとしても、衣服を脱がせずに、排尿又は排便の有無を確認することができる。
【００３４】
次に、本発明の第２〜４実施形態の使い捨ておむつについて、図６〜図１２に基づいて説明する。
第２〜４実施形態の使い捨ておむつ１Ｂ〜１Ｄ（以下、「おむつ１Ｂ〜１Ｄ」ともいう）については、第１実施形態のおむつ１Ａと異なる点について説明する。特に説明しない点は、おむつ１Ａと同様であり、おむつ１Ａの説明が適宜適用される。また、作用効果についても同様である。
【００３５】
第２実施形態のおむつ１Ｂは、図６に示すように、おむつ１Ａと同様に、外層体が一体化した展開型の使い捨ておむつである。
おむつ１Ｂにおいては、図６に示すように、おむつ１Ａと異なり、吸収性本体５の縦方向（Ｙ方向）の両端部５ａ，５ｂに、股下領域Ｃ側に向かって切り欠かれた切欠き部５３が形成されていない。
【００３６】
また、おむつ１Ｂにおいては、図６に示すように、識別シート部材７の縦方向（Ｙ方向）の両端部７ａ，７ｂが、吸収性本体５の縦方向（Ｙ方向）の両端部５ａ，５ｂを越えて外方に延出している。延出する長さとしては、５ｍｍ〜５０ｍｍ程度であることが好ましい。おむつ１Ｂにおいては、このように構成された識別シート部材７が、表面シート２の肌対向面上に配されており、接着剤７３を介して、股下領域Ｃにおいて、表面シート２に固定されている。
【００３７】
以上のように構成されたおむつ１Ｂにおいては、図６に示すように、着用者の体液の排泄前においては、吸収性本体５の縦方向（Ｙ方向）の両端部５ａ，５ｂそれぞれから、識別シート部材７の縦方向（Ｙ方向）の両端部７ａ，７ｂそれぞれが延出しており、該端部７ａ，７ｂが、外側から直接視認可能に配されている。
【００３８】
上述した本発明の第２実施形態のおむつ１Ｂを使用した際の作用効果について説明する。
第２実施形態のおむつ１Ｂの効果については、第１実施形態のおむつ１Ａの効果と同様であり、おむつ１Ａの効果の説明が適宜適用される。
【００３９】
次に、第３実施形態のおむつ１Ｃは、図７〜図１１に示すように、吸収性本体５と、吸収性本体５の非肌対向面に配された外装体８とを備えるパンツ型使い捨ておむつであって、パンツ型使い捨ておむつの中でも、外層体が一体化したパンツ型使い捨ておむつである。具体的には、おむつ１Ｃは、図７〜図１０に示すように、表面シート２と、裏面シート３と、両シート２，３間に介在する吸収体４とを有する吸収性本体５、及び吸収性本体５の裏面シート３側に配され裏面シート３の非肌対向面に接着固定された外装体８を備えている。
【００４０】
おむつ１Ｃの外装体８は、図８に示すように、吸収性本体５の外方全域に亘って延出しており、縦方向（Ｙ方向）中央部において内方に括れている。おむつ１Ｃにおける外装体８の腹側領域Ａの両側縁部８ａ，８ａの内面と背側領域Ｂの両側縁部８ｂ，８ｂの内面同士を互いに重ね合わせ、合掌状に接合されて、図７に示すように、ウエスト開口部ＷＯ及び一対のレッグ開口部ＬＯ，ＬＯを有するおむつ１Ｃが形成される。
【００４１】
おむつ１Ｃの外装体８は、図９，図１０に示すように、おむつの最外面をなす外層シート８１と、外層シート８１の肌対向面側に配された内層シート８２と、外装体８を構成する外層シート８１及び内層シート８２の間に、腹側領域Ａの両側縁部８ａ，８ａ間及び背側領域Ｂの両側縁部８ｂ，８ｂ間に亘って伸長した状態の複数本の弾性部材８３とを備えている。また、外装体８を構成する外層シート８１及び内層シート８２の間に、レッグ開口部ＬＯとなる内方に括れた領域に沿って、腹側領域Ａの側縁部８ａと背側領域Ｂの側縁部８ｂとの間に亘って伸長した状態の複数本の弾性部材８４を備えている。
【００４２】
おむつ１Ｃの外装体８は、図７に示すように、腹側領域Ａ及び背側領域Ｂにおける吸収性本体５と重なる領域に、弾性部材８３の伸縮機能が低減された弱機能化領域を有している。詳述すると、外層シート８１及び内層シート８２の間に配された複数本の弾性部材８３は、吸収性本体５と重なる領域において、それぞれが個々複数個に分断されており、細かく分断された弾性部材８３は、もはや収縮力を殆ど有しない状態となって外装体８に弱機能化領域を形成している。
【００４３】
おむつ１Ｃの外装体８を構成する外層シート８１は、縦方向（Ｙ方向）においては、図１０に示すように、外層シート８１と内層シート８２とによって複数本の糸状の弾性部材８３を挟持固定する領域よりも更に縦方向（Ｙ方向）に延出する長さを有しており、外層シート８１における内層シート８２よりも延出した延出領域は、吸収性本体５側に折り返され、吸収性本体５の縦方向（Ｙ方向）の端部５ａ，５ｂを覆う位置まで延出し、接着剤（図示せず）を介して吸収性本体５の表面シート２に接着されている。
【００４４】
吸収性本体５の縦方向（Ｙ方向）に沿う両側部５ｓ，５ｓそれぞれに配された立体ギャザー６は、おむつ１Ｃにおいては、図９に示すように、吸収性本体５の側部５ｓから幅方向（Ｘ方向）内方に延出するように形成されている。おむつ１Ｃの立体ギャザー６は、パンツ型吸収性物品の展開且つ伸長状態において、立体ギャザー形成用シート６３と、立体ギャザー形成用シート６３の縦方向（Ｙ方向）に伸長状態で配された弾性部材６２とから形成される。
【００４５】
第３実施形態のおむつ１Ｃにおいては、図７〜図８に示すように、識別シート部材７の縦方向（Ｙ方向）の両端部７ａ，７ｂが、吸収性本体５の縦方向（Ｙ方向）の両端部５ａ，５ｂを越えて外方に延出している。延出する長さとしては、５ｍｍ〜５０ｍｍ程度であることが好ましい。識別シート部材７のＹ方向の長さは、吸収性本体５のＹ方向の長さよりも長く、外装体８を構成する内層シート８２のＹ方向の長さよりも短い長さであることが好ましく、おむつ１Ｃにおいては、内層シート８２と略同じ長さに形成されている。
【００４６】
また、おむつ１Ｃにおいては、識別シート部材７が、収縮材７１のみで構成されている。そして、図９〜図１０に示すように、収縮材７１からなる識別シート部材７は、液透過性のシート材７４で覆われている。ここでシート材７４は、例えば吸収性本体５を形成する裏面シート３と吸収体４とを固定する接着剤が識別シート部材７に塗布されることを防止し、収縮材７１の縦方向（Ｙ方向）の収縮を阻害させないようにするために用いられるものである。該観点から、シート材７４は、図９に示すように、識別シート部材７の肌対向面及び非肌対向面を覆うように、識別シート部材７を包み込んでおり、吸収性本体５の縦方向（Ｙ方向）の全長に亘って配されている（図１０参照）。
【００４７】
おむつ１Ｃにおいては、このようにシート材７４でカバーされた識別シート部材７が、裏面シート３と吸収体４との間に配されている。シート材７４でカバーされた識別シート部材７は、シート材７４とは接着剤を介して固定されておらず、シート材７４が、裏面シート３と吸収体４とを固定する接着剤によって、吸収性本体５の縦方向（Ｙ方向）の全長に亘って固定されている。尚、本実施形態のおむつ１Ｃにおいては、識別シート部材７はシート材７４と固定されていないが、吸収性本体５の縦方向（Ｙ方向）の中央領域等の位置で接着剤により一部固定されていてもよい。
【００４８】
以上のように構成されたおむつ１Ｃにおいては、図７に示すように、着用者の体液の排泄前においては、吸収性本体５の縦方向（Ｙ方向）の両端部５ａ，５ｂそれぞれから、識別シート部材７の縦方向（Ｙ方向）の両端部７ａ，７ｂそれぞれが延出しており、識別シート部材７の両端部７ａ，７ｂが、外装体８を介して外側から視認可能に配されている。
【００４９】
外装体８を介して識別シート部材７の端部を外側から視認可能とする観点から、外装体の光線透過率が３０％以上であることが好ましく、４０％以上であることが更に好ましい。光線透過率は、反射・透過率計（日本電色工業（株）製、商品名「ＮＤＨ−５０００」）で測定される。測定には、Ａ光源を用い、全光線透過率Ｔｔの値を測定する。外装体のサンプル上の任意の点を１０点測定し、その平均値をもって光線透過率の値とする。
【００５０】
第３実施形態のおむつ１Ｃの形成材料について説明する。おむつ１Ｃの形成材料については、第１実施形態のおむつ１Ａの形成材料と異なる点について説明する。特に説明しない点は、おむつ１Ａの形成材料と同様であり、おむつ１Ａの形成材料の説明が適宜適用される。
【００５１】
外装体８を構成する外層シート８１及び内層シート８２としては、使い捨ておむつ等の吸収性物品に従来用いられている各種のシート材を特に制限なく用いることができ、不織布を用いることが好ましい。該不織布としては、エアースルー不織布、ヒートロール不織布、スパンレース不織布、スパンボンド不織布、メルトブローン不織布の単層の不織布又はこれらが２層以上に積層された積層不織布等を用いることができる。また、外層シート２１，内層シート２２として、不織布とフィルムとを一体化したシート等を用いることもできる。
【００５２】
外装体８を構成する弾性部材８３及び弾性部材８４としては、おむつ１Ａを構成する立体ギャザー形成用の弾性部材６２と同じものを用いることができる。
また、吸収性本体５を構成する立体ギャザー６を形成する立体ギャザー形成用シート６３としては、サイドシート６１と同じものを用いることができる。
【００５３】
識別シート部材７をカバーするシート材７４としては、使い捨ておむつ等の吸収性物品に従来用いられている各種液透過性のシート材を特に制限なく用いることができ、具体的には、開孔フィルム或いは不織布を用いることができる。
【００５４】
上述した本発明の第３実施形態のおむつ１Ｃを使用した際の作用効果について説明する。
第３実施形態のおむつ１Ｃの効果については、第１実施形態のおむつ１Ａの効果と異なる点について説明する。特に説明しない点は、おむつ１Ａの効果と同様であり、おむつ１Ａの効果の説明が適宜適用される。
【００５５】
おむつ１Ｃにおいては、識別シート部材７の縦方向（Ｙ方向）の両端部７ａ，７ｂそれぞれが、吸収性本体５の縦方向（Ｙ方向）の両端部５ａ，５ｂそれぞれから延出している。その為、おむつ１Ｃを着用すると、おむつ１Ｃは、図１１（ａ）に示すように、着用者の体液の排泄前においては、吸収性本体５の裏面シート３の非肌対向面に接着固定された外装体８を介して、識別シート部材７の縦方向（Ｙ方向）の腹側領域Ａ側の端部７ａ及び背側領域Ｂ側の端部７ｂが、着用されたおむつ１Ａの腹側領域Ａ及び背側領域Ｂの外側から視認可能に配されている。このように、おむつ１Ｃは、着用者の体液の排泄前においては、吸収性本体５の縦方向（Ｙ方向）の端部５ａ，５ｂに、識別シート部材７の縦方向（Ｙ方向）の端部７ａ，７ｂが、外側から視認可能に配されているので、おむつ１Ｃ上に衣服を着用したとしても、衣服を脱がせずに、識別シート部材７の縦方向（Ｙ方向）の端部７ａ，７ｂを確認できる。
【００５６】
その後、おむつ１Ｃの着用中に、着用者が体液を排泄すると、図１１（ｂ）に示すように、体液の吸収により収縮材７１が収縮し、識別シート部材７の端部７ａ，７ｂの位置が股下領域Ｃ側に移動する。このように、識別シート部材７の端部７ａ，７ｂの位置が、体液の排泄前後で変更するので、おむつ１Ｃにおいては、体液の排泄の有無を識別することが可能となる。具体的には、尿の排泄により股下領域Ｃの腹側領域Ａ側が濡れると、股下領域Ｃに配した収縮材７１が収縮し、識別シート部材７の腹側領域Ａ側の端部７ａの位置が、股下領域Ｃ側に移動して、吸収性本体５の腹側領域Ａ側の端部５ａ外縁よりも内側に移動し、識別シート部材７の腹側領域Ａ側の端部７ａが見え難くなる。このように識別シート部材７の腹側領域Ａ側の端部７ａが股下領域Ｃ側に移動した場合には、着用者が尿を排泄したと判断することができる。また、便の排泄により股下領域Ｃの背側領域Ｂ側が便の水分により濡れると、股下領域Ｃに配した収縮材７１が収縮し、識別シート部材７の背側領域Ｂ側の端部７ｂの位置が、股下領域Ｃ側に移動して、吸収性本体５の背側領域Ｂ側の端部５ｂ外縁よりも内側に移動し、識別シート部材７の背側領域Ｂ側の端部７ｂが見え難くなる。このように識別シート部材７の背側領域Ｂ側の端部７ｂが股下領域Ｃ側に移動した場合には、着用者が便を排泄したと判断することができる。このように、おむつ１Ｃは、識別シート部材７を配したシンプルな構造であるにも拘わらず、使い捨ておむつ１Ｃ上に衣服を着用していたとしても、衣服を脱がせずに、排尿又は排便の有無を確認することができる。
【００５７】
次に、第４実施形態のおむつ１Ｄは、図１２に示すように、第３実施形態のおむつ１Ｃと同様に、外層体が一体化したパンツ型使い捨ておむつである。
おむつ１Ｄにおいては、図１２に示すように、おむつ１Ｃと異なり、シート材７４でカバーされた識別シート部材７が、表面シート２の肌対向面上に配されている。シート材７４でカバーされた識別シート部材７は、シート材７４とは接着剤を介して固定されておらず、識別シート部材７の非肌対向面側のシート材７４が、表面シート２の縦方向（Ｙ方向）の全長に亘って、接着剤によって固定されている。また、識別シート部材７の肌対向面側のシート材７４は、外層シート８１における吸収性本体５側に折り返された延出領域と接着剤を介して接着されている。尚、第４実施形態のおむつ１Ｄにおいては、識別シート部材７をカバーするシート材７４が表面シート２の縦方向（Ｙ方向）の全長に亘って延在しているが、外層シート８１における吸収性本体５側に折り返された延出領域と重なる識別シート部材７の端部の領域のみをカバーするように、シート材７４が配置されていてもよい。即ち、表面シート２の肌対向面上に配された識別シート部材７が外層シート８１における前記延出領域と重なる領域以外の領域において、シート材７４でカバーされておらず露出していてもよい。
【００５８】
以上のように構成されたおむつ１Ｄにおいては、図１２に示すように、着用者の体液の排泄前においては、識別シート部材７の縦方向（Ｙ方向）の両端部７ａ，７ｂそれぞれが、吸収性本体５の縦方向（Ｙ方向）の両端部５ａ，５ｂそれぞれから延出しており、吸収性本体５の裏面シート３の非肌対向面に接着固定された外装体８を介して、識別シート部材７の縦方向（Ｙ方向）の腹側領域Ａ側の端部７ａ及び背側領域Ｂ側の端部７ｂが、着用されたおむつ１Ａの腹側領域Ａ及び背側領域Ｂの外側から視認可能に配されている。
【００５９】
上述した本発明の第４実施形態のおむつ１Ｄを使用した際の作用効果について説明する。
第４実施形態のおむつ１Ｄの効果については、第３実施形態のおむつ１Ｃの効果と同様であり、おむつ１Ｃの効果の説明が適宜適用される。
【００６０】
本発明のパンツ型使い捨ておむつは、上述した第１〜第４実施形態のおむつ１Ａ〜１Ｄに何ら制限されるものではなく、適宜変更可能である。また、上述の第１〜第４実施形態のおむつ１Ａ〜１Ｄにおける各構成要件は、本発明の趣旨を損なわない範囲で、適宜組み合わせて実施できる。
【００６１】
本発明の使い捨ておむつは、成人用、子供用或いは幼児用の使い捨ておむつとして用いられる。
【００６２】
上述した実施形態に関し、さらに以下の使い捨ておむつを開示する。
【００６３】
＜１＞
表面シート、裏面シート、これらシート間に配された吸収体を有する縦長の吸収性本体を備え、腹側領域、背側領域及び股下領域に区分された使い捨ておむつであって、
着用者の体液によって縮む収縮材を含む識別シート部材が、前記吸収性本体の縦方向に延在しており、
着用者の体液の排泄前においては、前記吸収性本体の縦方向の少なくとも一端部に、前記識別シート部材の縦方向の一端部が、外側から視認可能に配されており、着用者の体液の排泄後においては、前記識別シート部材の一端部が、股下領域側に移動する使い捨ておむつ。
【００６４】
＜２＞
前記識別シート部材が、股下領域における腹側領域側の部分に前記収縮材を配している前記＜１＞に記載の使い捨ておむつ。
＜３＞
股下領域全域に亘って前記収縮材を配する前記＜１＞又は＜２＞に記載の使い捨ておむつ。
＜４＞
前記識別シート部材は、前記収縮材のみで構成されている前記＜１＞〜＜３＞の何れか１に記載の使い捨ておむつ。
＜５＞
前記識別シート部材は、前記吸収性本体の縦方向に延びる中心線ＣＬ上を、該中心線ＣＬに沿って平行に縦方向（Ｙ方向）に延びている前記＜１＞〜＜４＞の何れか１に記載の使い捨ておむつ。
＜６＞
前記収縮材が、ポリビニルアルコール系繊維又は変性ポリビニルアルコールをカルボキシメチル化した繊維である前記＜１＞〜＜５＞の何れか１に記載の使い捨ておむつ。
＜７＞
前記識別シート部材は、紐状或いは帯状に形成されている前記＜１＞〜＜６＞の何れか１に記載の使い捨ておむつ。
＜８＞
前記識別シート部材が帯状に形成されており、その幅は５ｍｍ〜３０ｍｍである前記＜１＞〜＜７＞の何れか１に記載の使い捨ておむつ。
＜９＞
前記識別シート部材は、腹側領域側に配された帯状のシート片と背側領域側に配された帯状のシート片との間に、股下領域全域に亘る帯状の収縮材を配しており、前記シート片は、有色に着色されて形成されている前記＜１＞〜＜８＞の何れか１に記載の使い捨ておむつ。
＜１０＞
有色の色が、暖色系の色、すなわち赤色、橙色、黄色等である前記＜１＞〜＜９＞の何れか１に記載の使い捨ておむつ。
【００６５】
＜１１＞
前記識別シート部材を構成するシート片が高分子フィルム又は不織布である前記前記＜１＞〜＜１０＞の何れか１に記載の使い捨ておむつ。
＜１２＞
着用者の体液の排泄前においては、前記識別シート部材は、腹側端部及び背側端部において、前記識別シート部材の縦方向の一端部が、外側から視認可能に配されている前記＜１＞〜＜１１＞の何れか１に記載の使い捨ておむつ。
＜１３＞
前記識別シート部材は、少なくともその長手方向の一部において液透過性のシート材で覆われている前記＜１＞〜＜１２＞の何れか１に記載の使い捨ておむつ。
＜１４＞
前記液透過性のシート材は、前記識別シート部材の肌対向面及び非肌対向面を覆うように、該識別シート部材を包み込んでおり、前記吸収性本体の縦方向（Ｙ方向）の全長に亘って配されている前記＜１３＞に記載の使い捨ておむつ。
＜１５＞
前記識別シート部材は前記液透過性のシート材と固定されていない前記＜１３＞又は＜１４＞に記載の使い捨ておむつ。
＜１６＞
識別シート部材は、前記吸収性本体の縦方向（Ｙ方向）の中央領域等の位置で、前記液透過性のシート材と一部固定されている前記＜１３＞又は＜１４＞に記載の使い捨ておむつ。
＜１７＞
前記液透過性のシート材が、開孔フィルム或いは不織布である前記＜１３＞〜＜１６＞の何れか１に記載の使い捨ておむつ。
＜１８＞
前記識別シート部材は、前記表面シートの肌対向面上、又は前記表面シートと前記吸収体との間に配されている前記＜１＞〜＜１７＞の何れか１に記載の使い捨ておむつ。
＜１９＞
前記識別シート部材は、前記表面シートの肌対向面上に配されており、股下領域において、該表面シートに固定されている前記前記＜１＞〜＜１８＞の何れか１に記載の使い捨ておむつ。
＜２０＞
前記識別シート部材は、前記裏面シートと前記吸収体との間に配されている前記＜１＞〜＜１９＞の何れか１に記載の使い捨ておむつ。
＜２１＞
前記識別シート部材は、股下領域において、前記裏面シートに固定されている前記＜１＞〜＜２０＞の何れか１に記載の使い捨ておむつ。
【００６６】
＜２２＞
着用者の体液の排泄後においては、前記識別シートの一端部が、股下領域側に移動し、吸収性本体の腹側領域側の端部外縁よりも内側に移動する前記＜１＞〜＜２１＞の何れか１に記載の使い捨ておむつ。
＜２３＞
前記吸収性本体の縦方向の少なくとも一端部に、股下領域側に向かって切り欠かれた切欠き部が形成されており、
着用者の体液の排泄前においては、前記切欠き部に、前記識別シート部材の縦方向の一端部が、外側から直接視認可能に配されている前記＜１＞〜＜２２＞の何れか１に記載の使い捨ておむつ。
＜２４＞
前記使い捨ておむつは、前記吸収性本体と、該吸収性本体の非肌対向面に配された外装体とを備えるパンツ型使い捨ておむつであって、
前記識別シート部材の縦方向の一端部が、前記吸収性本体の縦方向の一端部から延出しており、
着用者の体液の排泄前においては、前記識別シート部材の縦方向の一端部が、前記外装体を介して外側から視認可能に配されている前記＜１＞〜＜２３＞の何れか１に記載の使い捨ておむつ。
＜２５＞
前記延出する長さは、５ｍｍ〜５０ｍｍである前記＜１＞〜＜２４＞の何れか１に記載の使い捨ておむつ。
＜２６＞
前記識別シート部材の縦方向（Ｙ方向）の長さは、前記吸収性本体の縦方向（Ｙ方向）の長さよりも長く、前記外装体を構成する内層シートの縦方向（Ｙ方向）の長さよりも短い長さである前記＜１＞〜＜２５＞何れか１に記載の使い捨ておむつ。
＜２７＞
前記外層シートおける内層シートよりも延出した延出領域は、前記吸収性本体側に折り返されている前記＜１＞〜＜２６＞の何れか１に記載の使い捨ておむつ。
＜２８＞
前記外装体の光線透過率が３０％以上である前記＜１＞〜＜２７＞の何れか１に記載の使い捨ておむつ。
＜２９＞
前記外装体の光線透過率が４０％以上である前記＜１＞〜＜２８＞の何れか１に記載の使い捨ておむつ。
【符号の説明】
【００６７】
１Ａ〜１Ｄ  使い捨ておむつ
２  表面シート
３  裏面シート
４  吸収体
５  吸収性本体
５１  サイドフラップ部
５２  レッグフラップ部
５３  切欠き部
５ａ，５ｂ  端部
５ｓ  側部
６  立体ギャザー
６１  サイドシート
６２  弾性部材
６３  立体ギャザー形成用シート
７  識別シート部材
７ａ，７ｂ  端部
７１  収縮材
７２  シート片
７３  接着剤
７４  シート材
８  外装体
８１  外層シート
８２  内層シート
８３,８４  弾性部材
Ａ  腹側領域
Ｂ  背側領域
Ｃ  股下領域
ＣＬ  縦方向に延びる中心線
【図１】
2015077189.tif 000003
【図２】
2015077189.tif 000004
【図３】
2015077189.tif 000005
【図４】
2015077189.tif 000006
【図５】
2015077189.tif 000007
【図６】
2015077189.tif 000008
【図７】
2015077189.tif 000009
【図８】
2015077189.tif 000010
【図９】
2015077189.tif 000011
【図１０】
2015077189.tif 000012
【図１１】
2015077189.tif 000013
【図１２】
2015077189.tif 000014